(57)【要約】【課題】  光学式ピックアップによりディスクに信号を記録することが出来る光ディスク記録再生装置のレーザー出力設定方法を提供する。【解決手段】  光学式ピックアップに組み込まれているレーザーダイオード３に供給する駆動信号のレベルとフォーカスエラー信号のレベルとの関係を求め、設定されたレベルのフォーカスエラー信号が得られるレーザー出力を放射するようにレーザーダイオードに供給する駆動信号のレベルを設定するものである。【選択図】    図１
2005243156.tif 000002
【特許請求の範囲】
【請求項１】
光学式ピックアップに組み込まれている光検出器から得られる信号に基づいて生成されるフォーカスエラー信号をフォーカスサーボ回路に入力し、該フォーカスサーボ回路から出力される信号をフォーカスコイル駆動回路に供給することによってフォーカス制御動作を行うように構成された光ディスク記録再生装置のレーザー出力設定方法であり、光学式ピックアップに組み込まれているレーザーダイオードに供給する駆動信号のレベルとフォーカスエラー信号のレベルとの関係を求め、設定されたレベルのフォーカスエラー信号が得られるレーザー出力を放射するようにレーザーダイオードに供給する駆動信号のレベルを設定するようにしたことを特徴とする光ディスク記録再生装置のレーザー出力設定方法。
【請求項２】
レーザー出力の設定が行われた後フォーカスサーボ回路の利得を設定するようにしたことを特徴とする請求項１に記載のレーザー出力設定方法。
【請求項３】
レーザーダイオードに供給する駆動信号のレベルとフォーカスエラー信号のレベルとの関係を対物レンズをディスク面方向に移動させるべく設けられているフォーカシングコイルにフォーカスエラー信号のレベルが最大から最小となるまで変化する駆動信号を供給することによって求めるようにしたことを特徴とする請求項１に記載のレーザー出力設定方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置のレーザー出力設定方法に関する。
【背景技術】
【０００２】
光学式ピックアップを用いてディスクに記録されている信号の読み出し動作を行う光ディスク再生装置が普及しているが、再生機能に加えて光学式ピックアップより照射されるレーザー光によってディスクに信号を記録することが出来るように構成された光ディスク記録再生装置が商品化されている。
【０００３】
ディスクに信号を記録することが出来る光ディスク記録再生装置は、ディスクの信号トラックにレーザー光を合焦させるフォーカシング制御動作及び信号トラックにレーザー光を追従させるトラッキング制御動作を正確に行う必要があるため、光学式ピックアップに組み込まれている光検出器から得られるフォーカスエラー信号やトラッキングエラー信号を利用して各制御動作を行うように構成されているが、斯かる制御動作は、一般にフォーカスサーボ回路及びトラッキングサーボ回路のサーボ動作によって行われるように構成されている。
【０００４】
また、斯かる光ディスク記録再生装置では、レーザー光の照射動作によりディスク上にピットを形成することによって信号の記録動作を行うように構成されているが、ピットの形状をディスクの規格に合致させる必要がある。記録動作を正確に行うためには、レーザー光の出力を設定されたレベルになるように制御する必要があり、従来では、レーザーダイオードより照射されるレーザー光のレベルをモニターするモニター用素子を設け、そのモニター素子より得られるモニター信号を利用してレーザー光の出力を調整するように構成されている(例えば、特許文献１参照。)。
【特許文献１】特開２００１−４３５５２号公報
【発明の開示】
【発明が解決しようとする課題】
【０００５】
光学式ピックアップに組み込まれているレーザーダイオードから放射されるレーザー光をディスク上の信号面に合焦させる制御動作は、前述したように光学式ピックアップに組み込まれている光検出器から得られるフォーカスエラー信号を利用して行うように、即ちフォーカスサーボ回路と呼ばれる回路によるサーボ動作よって行われる。斯かるフォーカスサーボ回路のサーボ動作によってレーザー光を信号面に合焦させるための制御動作は行われるが、斯かる制御動作を行うためにはフォーカスサーボ回路のサーボ利得を最適な値に設定する必要がある。
【０００６】
斯かるフォーカスサーボ回路のサーボ利得の調整設定動作は、レーザーダイオードから放射されるレーザー光の出力が所定のレベルに無ければ正確に行うことが出来ないという問題がある。前述した特許文献に記載されている技術のようにレーザーダイオードより照射されるレーザー光のレベルをモニターするモニター用素子が組み込まれている光学式ピックアップを使用する場合には、モニター用素子にて検出されるモニター信号をフィードバックすることによりレーザー出力を所定の値になるように調整することが出来るので、フォーカスサーボ回路のサーボ利得の設定動作は簡単に行うことが出来る。
【０００７】
一方、最近では、光学式ピックアップの価格を下げるためにレーザーダイオードより照射されるレーザー光のレベルをモニターするモニター用素子を削除した光学式ピックアップが販売されている。斯かる光学式ピックアップを使用する光ディスク記録再生装置におけるレーザー出力の調整動作は、ディスクから反射されるレーザー光から得られるＲＦ信号のレベルを利用する方法が一般に採用されている。
【０００８】
斯かるレーザー出力の調整動作は、光ディスク記録再生装置により記録動作を行っている場合に行われるが、フォーカスサーボ回路の利得設定動作は、光ディスク記録再生装置を製造する場合に行っておく必要がある。製造工程において、フォーカスサーボ回路の利得設定動作を行うためには、レーザー出力を所定の値にした状態で行う必要があるが、レーザーダイオードはレーザー出力のバラツキが大きいので、製造工程において正確に調整する必要がある。
【０００９】
本発明は、フォーカスサーボ回路の利得設定動作を正確に行う場合に有効なレーザー出力設定方法を提供しようとするものである。
【課題を解決するための手段】
【００１０】
本発明は、光学式ピックアップに組み込まれているレーザーダイオードに供給する駆動信号のレベルとフォーカスエラー信号のレベルとの関係を求め、設定されたレベルのフォーカスエラー信号が得られるレーザー出力を放射するようにレーザーダイオードに供給する駆動信号のレベルを設定するように構成されている。
【００１１】
また、本発明は、レーザー出力の設定動作が行われた後フォーカスサーボ回路の利得を設定するように構成されている。
【００１２】
更に、本発明は、レーザーダイオードに供給する駆動信号のレベルとフォーカスエラー信号のレベルとの関係を対物レンズをディスク面方向に移動させるべく設けられているフォーカシングコイルにフォーカスエラー信号のレベルが最大から最小となるまで変化する駆動信号を供給することによって求めるように構成されている。
【発明の効果】
【００１３】
本発明は、光学式ピックアップに組み込まれているレーザーダイオードに供給する駆動信号のレベルとフォーカスエラー信号のレベルとの関係を求め、設定されたレベルのフォーカスエラー信号が得られるレーザー出力を放射するようにレーザーダイオードに供給する駆動信号のレベルを設定するようにしたので、レーザーダイオードより照射されるレーザー光のレベルをモニターするモニター用素子が組み込まれていない光学式ピックアップを使用する場合であってもレーザー出力の設定動作を正確に行うことが出来る。
【００１４】
また、本発明は、レーザー出力の設定が行われた後フォーカスサーボ回路の利得を設定するようにしたので、フォーカスサーボ回路の利得設定動作を正確に行うことが出来る。
【００１５】
そして、本発明によれば、レーザーダイオードに供給する駆動信号のレベルとフォーカスエラー信号のレベルとの関係を対物レンズをディスク面方向に移動させるべく設けられているフォーカシングコイルにフォーカスエラー信号のレベルが最大から最小となるまで変化する駆動信号を供給することによって求めるようにしたので、フォーカスエラー信号のレベル検出比較動作を正確に行うことが出来る。
【発明を実施するための最良の形態】
【００１６】
本発明は、レーザー出力のレベル変化とフォーカスエラー信号のレベル変化の関係を利用してレーザー出力の設定を行うようにしたものである。
【実施例】
【００１７】
図１は本発明に係る光ディスク記録再生装置の一実施例を示す回路図、図２は光検出器とレーザー光との関係を示す説明図、図３は本発明の動作を説明するために使用されるフォーカスエラー信号を示す波形図である。
【００１８】
図１において、１は光学式ピックアップに組み込まれている対物レンズであり、支持ワイヤー等によってディスク面に対して垂直方向及びディスクの径方向へ変位可能に支持されている。２は前記対物レンズ１をディスク面に対して垂直方向に変位させるフォーカシングコイル、３はレーザー光を放射するレーザーダイオードであり、該レーザーダイオード３から照射されるレーザー光は、前記対物レンズ１の集光動作によってディスク面に照射されるように構成されている。
【００１９】
４は光学式ピックアップ内に組み込まれている光検出器であり、ディスクの信号面から反射されるレーザー光を受けて電気信号に変換する作用を有している。また、前記光検出器４は、図示したように４分割されたＡ、Ｂ、Ｃ及びＤの受光部にて構成されている。５は前記光検出器４を構成する受光部Ａ及びＣから得られる信号を加算する第１加算回路、６は前記光検出器４を構成する受光部Ｂ及びＤから得られる信号を加算する第２加算回路、７は前記第１加算回路５および第２加算回路６から得られる信号が入力される減算回路である。
【００２０】
斯かる構成において、第１加算回路５、第２加算回路６及び減算回路７は、フォーカスエラー信号を生成するフォーカスエラー信号生成回路を構成している。図２は、光検出器４とディスクの信号面から反射されて該光検出器４に照射されるレーザー光との関係を示すものであり、非点収差により図示したように照射形状が変化する。即ち、図２の(Ａ)が合焦状態を示し、図２の(Ｂ)及び(Ｃ)は、焦点が大きくズレた状態を示すものである。
【００２１】
８は前記フォーカスエラー信号生成回路を構成する減算回路７より出力されるトラッキングエラー信号が入力されるフォーカスサーボ回路であり、周知のようにフォーカス制御動作のためのサーボ動作を行うように構成されている。９は前記フォーカスサーボ回路８から出力されるフォーカス制御信号が入力されるとともに該制御信号に応じて前記フォーカシングコイル２に駆動信号を供給するフォーカスコイル駆動回路である。１０は前記フォーカスサーボ回路８のサーボ利得を設定するサーボ利得設定回路である。
【００２２】
１１は前記レーザーダイオード３に駆動信号を供給するレーザーダイオード駆動回路、１２は前記レーザーダイオード駆動回路１１から出力される駆動信号のレベルを調整設定するレーザー出力調整回路である。１３は各回路の動作を制御する制御回路であり、マイクロコンピューターにて構成されている。
【００２３】
以上に説明したように本発明に係る光ディスク記録再生装置は構成されているが、次に本発明のレーザー出力設定方法について説明する。
【００２４】
図３は、レーザーダイオード３から照射されるレーザー出力のレベルとフォーカスエラー信号のレベルとの関係を示すものであり、レーザー出力のレベルが大きくなるに従ってフォーカスエラー信号のレベルが大きくなるという関係にある。即ち、同図において、実線Ａ、Ｂ及びＣは、レーザー出力を小レベルＰ１、中レベルＰ２及び大レベルＰ３と変化させた場合のフォーカスエラー信号のレベル変化を示すものである。同図の実線Ａ、Ｂ及びＣより明らかなようにレーザー出力のレベルが大きくなるに従ってフォーカスエラー信号の＋側の最大レベルは、Ｅ１、Ｅ２及びＥ３のように大きくなり、−側の最大レベルは−Ｅ１、−Ｅ２及び−Ｅ３のように−側に大きくなる。
【００２５】
斯かるレーザーダイオード３から照射されるレーザー出力のレベルとフォーカスエラー信号のレベルとの関係を求めるための動作は、制御回路１３によるレーザー出力調整回路１２に対するレーザー出力の可変動作及びフォーカスコイル駆動回路９に対するフォーカシングコイル２への駆動信号のレベル制御動作によって行われるが、斯かる動作を行う状態ではフォーカスサーボ回路８によるフォーカスサーボ動作は行われないようにされている。
【００２６】
斯かる状態において、制御回路１３からレーザー出力調整回路１２に対してレーザー出力を設定するための制御信号が出力されるが、まずレーザーダイオード３から小レベルＰ１のレーザー光を照射させるレベルの駆動信号がレーザーダイオード駆動回路１１から該レーザーダイオード３に供給されるように設定される。斯かる状態において、フォーカスコイル駆動回路９に対する制御回路１３による制御動作が行われるが、斯かる動作は、例えばフォーカスコイル駆動回路９からフォーカシングコイル２にレベルが連続して変化する直流の測定用駆動信号を出力させる動作が行われる。
【００２７】
フォーカスコイル駆動回路９からフォーカシングコイル２に供給される測定用駆動信号によって対物レンズ１はディスク面に対して垂直方向に変位せしめられるが、その変位の範囲はフォーカスエラー信号のレベルが＋側の最大値から−側の最大値まで変化するように設定されている。
【００２８】
レーザーダイオード駆動回路１１からレーザーダイオード３に対して小レベルＰ１のレーザー光を照射させる駆動信号が供給された状態において、フォーカスコイル駆動回路９からフォーカシングコイル２に対して測定用駆動信号を供給すると、対物レンズ１の変位に伴って減算回路７より出力されるトラッキングエラー信号のレベルが変化する。前記減算回路７より出力されるトラッキングエラー信号は、制御回路１３に入力されるので、該制御回路１３は入力されるアナログ信号をデジタル信号に変換してそのレベルを測定することになる。
【００２９】
図３に示す実線Ａが小レベルＰ１のレーザー出力の場合に得られるフォーカスエラー信号のレベル変化を示すものである。斯かる小レベルＰ１の出力がレーザーダイオード３から照射されている場合のフォーカスエラー信号のレベル変化検出動作は行われるが、中レベルＰ２及び大レベルＰ３の出力がレーザーダイオード３から照射されている場合のフォーカスエラー信号のレベル変化検出動作も同様に行うことが出来る。図３の実線Ｂ及びＣが夫々中レベルＰ２及び大レベルＰ３のレーザー出力の場合に得られるフォーカスエラー信号のレベル変化を示すものである。
【００３０】
前述したようにレーザーダイオード３から照射されるレーザー光の出力を変化させた場合におけるフォーカスエラー信号のレベル変化を検出することが出来るが、斯かるレーザー出力のレベルとフォーカスエラー信号のレベルとの関係は、制御回路１３に組み込まれているメモリー回路(図示せず)に記憶される。
【００３１】
このようにしてレーザー出力のレベルとフォーカスエラー信号のレベルとの関係を求めることが出来る。一方、フォーカスサーボ回路８によるサーボ動作を行うために適したフォーカスエラー信号のレベルは、該フォーカスサーボ回路８、フォーカスコイル駆動回路９及びフォーカシングコイル２等との関係から前もって設定されている。従って、その設定されているレベルのフォーカスエラー信号を得ることが出来るレーザー出力がレーザーダイオード３から照射されるような駆動信号をレーザーダイオード駆動回路１１から供給するように設定される。斯かる設定動作は、レーザー出力調整回路１２を制御回路１３内のメモリー回路に記憶されている測定データに基づいて制御することによって行われる。
【００３２】
フォーカスサーボ回路８によるサーボ動作を行うために適したレベルのフォーカスエラー信号が得られるようにレーザーダイオード３から照射されるレーザー出力の設定動作が行われると、次にサーボ利得設定回路１０に対する制御回路１３による制御動作が行われる。斯かる動作は、テストディスクに対してレーザー出力を照射させ、そのフォーカスサーボ動作が最適な状態にて行われるように調整することによって行うことが出来る。
【００３３】
尚、本実施例では、記録動作中におけるレーザー出力の調整については、説明しないが、ディスクから反射されるレーザー光のレベルを利用して行うようにする技術が多く開発されている。
【図面の簡単な説明】
【００３４】
【図１】本発明に係る光ディスク記録再生装置の一実施例を示す回路図である。
【図２】光検出器とレーザー光との関係を示す説明図である。。
【図３】本発明の動作を説明するために使用されるフォーカスエラー信号を示す波形図である。
【符号の説明】
【００３５】
１        対物レンズ
２        フォーカシングコイル
３        レーザーダイオード
４        光検出器
８        フォーカスサーボ回路
９        フォーカスコイル駆動回路
１０        サーボ利得設定回路
１１        レーザーダイオード駆動回路
１２        レーザー出力調整回路
１３        制御回路
【図１】
2005243156.tif 000003
【図２】
2005243156.tif 000004
【図３】
2005243156.tif 000005